(57)【要約】【課題】無駄なエネルギーの消費を抑制することを可能とする省エネルギーシステムを提供することである。【解決手段】省エネルギーシステム１０は、店舗５内で喫煙可能な喫煙環境下で設定されている喫煙用換気比率に所定の割合α（０＜α＜１）を乗じた禁煙用換気比率で禁煙環境下における店舗５内の換気を行うように設定する換気量抑制処理部２２と、店舗５内のユーザの数に応じて、禁煙環境下での最適な禁煙用換気比率を設定する換気量最適化処理部２５と、店舗５内の温度に比べて店舗５外の気温が低くなるような夜間時間帯に店舗５外の空気を店舗５内に取り込むように設定するナイトパージ設定処理部２６と、店舗５内の温度に比べて店舗５外の気温が低くなるような季節に店舗５外の空気を店舗５内に取り込むシーズン設定処理部２８と、を備える。【選択図】図１
0003226812.tif 000002
【実用新案登録請求の範囲】
【請求項１】
店舗内で喫煙可能な喫煙環境下で設定されている喫煙用換気比率に所定の割合α（０＜α＜１）を乗じた禁煙用換気比率で禁煙環境下における前記店舗内の換気を行うように設定する換気量抑制処理部と、
前記店舗内のユーザの数に応じて、前記禁煙環境下での最適な前記禁煙用換気比率を設定する換気量最適化処理部と、
前記店舗内の温度に比べて前記店舗外の気温が低くなるような夜間時間帯に前記店舗外の空気を前記店舗内に取り込むように設定するナイトパージ設定処理部と、
前記店舗内の温度に比べて前記店舗外の気温が低くなるような季節に前記店舗外の空気を前記店舗内に取り込むシーズン設定処理部と、
を備えることを特徴とする省エネルギーシステム。
【請求項２】
請求項１に記載の省エネルギーシステムにおいて、
前記所定の割合αは、０．３であることを特徴とする省エネルギーシステム。
【考案の詳細な説明】
【技術分野】
【０００１】
本考案は、省エネルギーシステムに関する。
【背景技術】
【０００２】
従来、パチンコ店などの店舗において、定期的に換気がなされている。本考案に関連する技術として、例えば、特許文献１には、建物内の空間である第１空間部と、第１空間部と異なる建物内の空間であり空調されていない第２空間部と、の間を連通させるダクトと、ダクトを介して第１空間部の空気を第２空間部に送風するための空気流を発生させる送風機と、送風機に対して複数の風量レベルのうちいずれかの風量レベルで送風機の運転を制御する情報収集ユニットと、ダクトの端部に接続されて第２空間部に設けられ、上下方向のうち、ダクトを介して第１空間部から第２空間部に搬送される第１空間部の空気が第２空間部の空気との密度の違いにより第２空間部内で移動する方向と逆の方向から、第１空間部の空気を第２空間部内に給気するための給気口と、を備えることを特徴とする。
【先行技術文献】
【特許文献】
【０００３】
【特許文献１】特開２０１８−８４３８１号公報
【考案の概要】
【考案が解決しようとする課題】
【０００４】
従来、パチンコ店舗では喫煙可能な環境であり、ユーザの喫煙によって生じる煙が充満することを防止するために、１時間あたりで店舗内の必要換気回数（換気比率）が８回から１０回（８〜１０杯）となるように設定がなされていた。
【０００５】
しかしながら、２０２０年４月から全面施行された改正健康増進法により、パチンコ店舗においても喫煙環境から禁煙環境へと環境が変わるが、従来の喫煙環境下の換気比率で運用を続けると、無駄なエネルギーの消費が生じることが予測される。
【０００６】
本考案の目的は、無駄なエネルギーの消費を抑制することを可能とする省エネルギーシステムを提供することである。
【課題を解決するための手段】
【０００７】
本考案に係る省エネルギーシステムは、店舗内で喫煙可能な喫煙環境下で設定されている喫煙用換気比率に所定の割合α（０＜α＜１）を乗じた禁煙用換気比率で禁煙環境下における前記店舗内の換気を行うように設定する換気量抑制処理部と、前記店舗内のユーザの数に応じて、前記禁煙環境下での最適な前記禁煙用換気比率を設定する換気量最適化処理部と、前記店舗内の温度に比べて前記店舗外の気温が低くなるような夜間時間帯に前記店舗外の空気を前記店舗内に取り込むように設定するナイトパージ設定処理部と、前記店舗内の温度に比べて前記店舗外の気温が低くなるような季節に前記店舗外の空気を前記店舗内に取り込むシーズン設定処理部と、を備えることを特徴とする。
【０００８】
また、本考案に係る省エネルギーシステムにおいて、前記所定の割合αは、０．３であることが好ましい。
【考案の効果】
【０００９】
本考案によれば、無駄なエネルギーの消費を抑制することが出来る。
【図面の簡単な説明】
【００１０】
【図１】本考案に係る実施形態の省エネルギーシステムを示す図である。
【図２】本考案に係る実施形態の省エネルギーシステムにおいて、禁煙環境下における換気比率を抑制する様子を示す図である。
【図３】本考案に係る実施形態の省エネルギーシステムにおいて、店舗の稼働率を考慮して換気比率を最適化する様子を示す図である。
【図４】本考案に係る実施形態の省エネルギーシステムを動作させる手順を示すフローチャートである。
【考案を実施するための形態】
【００１１】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１２】
図１は、本考案に係る実施形態の省エネルギーシステム１０を示す図である。図２は、本考案に係る実施形態の省エネルギーシステム１０において、禁煙環境下における換気比率を抑制する様子を示す図である。
【００１３】
図３は、本考案に係る実施形態の省エネルギーシステム１０において、店舗の稼働率を考慮して禁煙環境下における換気比率を最適化する様子を示す図である。
【００１４】
省エネルギーシステム１０は、空調装置１４及び換気装置１６の両方を制御する電力管理装置である。また、省エネルギーシステム１０は、店舗５で使用するホールコンピュータ装置１２と、制御部２０とを備えている。
【００１５】
店舗５は、パチンコ店舗、ゲームセンター店舗、レストラン店舗、喫茶店店舗などの店舗であり、ここでは、パチンコ店舗であるものとして説明するが、もちろん、その他の店舗であってもよい。
【００１６】
ホールコンピュータ装置１２は、パチンコ店舗（店舗５）のホールコンピュータであり、データを演算する中央演算装置、入力装置、表示装置、記憶装置を含んで構成されている。
【００１７】
ホールコンピュータ装置１２は、店舗５内の各遊戯装置の情報（稼働中、待機中、出玉、大当たり回数など）を表示でき、また、店舗５内の空調装置１４及び換気装置１６の情報（設定温度、換気比率など）を表示又は制御する機能を有する。
【００１８】
「換気比率」とは、１時間あたりの必要換気回数（回／時間）のことを意味している。１時間あたりの必要換気回数（毎時必要換気回数（回／時間）は、毎時必要換気量（ｍ３／時間）／部屋の容量（ｍ３）で算出される。
【００１９】
空調装置１４は、店舗５内に配置された空調室内機１８と、インバータモータ２４を含む空調室外機２１とから構成されている。空調室内機１８は、店舗５内に所定温度の冷房または暖房の空気を送り出すことができる。
【００２０】
空調室内機１８と空調室外機２１とは、冷媒ガスが通過するパイプによって接続されている。インバータモータ２４は、パイプ内の冷媒ガスを移動させることができる。
【００２１】
空調室外機２１には、ファン２７が取り付けられており、ファン２７によって、冷房の場合には温められた空気を外部へ放出することができる。
【００２２】
換気装置１６は、店舗５内に配置された換気扇と、この換気扇の動作を制御する換気スイッチと、換気扇に接続されたダクトに配置されたダンパーを備えている。換気扇は、モータで動作するファンであり、店舗５内の空気を外部に排出することができる。
【００２３】
ダクトは、換気扇から排出される空気を外部に出す配管である。ダンパーは、当該ダンパーの動作を制御するダンパー制御モータに接続されている。
【００２４】
制御部２０は、換気スイッチおよびダンパー制御モータに接続されている。そして、換気スイッチのオンオフを制御することで、換気扇の動作を制御することができる。制御部２０の各構成要素については後述する。
【００２５】
制御部２０は、換気扇及びダンパー制御モータへ送信する制御信号に基づいて、換気扇 の動作及びダンパー制御モータの動作を制御することができる。具体的には、制御部２０に換気比率を入力することができ、その換気比率に基づいて、換気扇及びダンパー制御モータの動作を制御することができる。
【００２６】
また、ホールコンピュータ装置１２によって、換気装置１６の換気比率を操作することができる。具体的には、ホールコンピュータ装置１２に換気比率を入力することにより、制御部２０を介して、換気装置１６の換気比率を調整することができる。
【００２７】
さらに、ホールコンピュータ装置１２において、店舗５の稼働率データを記憶及び表示させることができる。当該稼働率データは、ホールコンピュータ装置１２が店舗５内に配置されたセンサーなどによって稼働率データを収集することができる。
【００２８】
ホールコンピュータ装置１２は、通信ネットワーク３６に接続されている。通信ネットワーク３６は、インターネット通信網であるものとして説明するが、社内ＬＡＮ、無線Ｌ ＡＮ（例えば、Ｗｉ−Ｆｉ）を含めた形でのインターネット通信網であってもよい。
【００２９】
また、ホールコンピュータ装置１２は、ホール内ネットワーク用ルータ３０及びインターネット接続用ルータ３４を介して通信ネットワーク３６に接続している。ホール内ネットワーク用ルータ３０及びインターネット接続用ルータ３４の間には、タッチパネル３２ が配置されている。
【００３０】
タッチパネル３２は、店舗５内の各種機器の操作を行うことができ、この例では、換気装置１６へ送信する換気比率をタッチパネル３２で操作することができる。タッチパネル３２の構成によっては、パチンコホール内の照明機器、空調装置１４、自動ドアなどを制御できるようにしてもよい。
【００３１】
ホールコンピュータ装置１２は、通信ネットワーク３６を介して、管理会社内の管理サーバ３８に接続されている。管理サーバ３８は、通信ネットワーク３６へのデータ送受信機能を備えたコンピュータ装置であり、記憶装置および半導体集積回路を備えている。
【００３２】
管理サーバ３８は、ホールコンピュータ装置１２に指示データを送信することができるとともに、制御部２０及びホールコンピュータ装置１２のデータを受信して記憶することが可能である。
【００３３】
制御部２０は、換気量抑制処理部２２と、換気量最適化処理部２５と、ナイトパージ設定処理部２６と、シーズン設定処理部２８と、空調最適化処理部２９とを備えている。
【００３４】
換気量抑制処理部２２は、店舗５内で喫煙可能な喫煙環境下で設定されている喫煙用換気比率に所定の割合α（０＜α＜１）を乗じた禁煙用換気比率で禁煙環境下における店舗５内の換気を行うように設定する機能を有する。ここでは、α＝０．３（百分率では３０％）であるものとして設定する。
【００３５】
具体的には、従来の喫煙環境下において、１時間あたりで店舗５内の必要換気回数（換気比率）が１０杯となるように設定していたものを３０％に抑制して３杯となるように、禁煙用換気比率を設定する。このように設定された禁煙用換気比率に基づいて、換気装置１６の動作、及び、ダンパー制御モータの動作を制御することができる。
【００３６】
換気量最適化処理部２５は、店舗５内のユーザの数に応じて、禁煙環境下での最適な禁煙用換気比率を設定する機能を有する。換気量最適化処理部２５は、ホールコンピュータ装置１２から稼働率データを読み込み、この稼働率データから禁煙用換気比率を算出し、禁煙用換気比率に基づいて換気装置１６を制御する機能を有する。
【００３７】
具体的には、稼働率が高く混雑時のレベルが１００％の場合に、禁煙用換気比率が３回（３杯）に設定し、混雑時レベル（５０％）の場合に、禁煙用換気比率を１．５回（１．５杯）になるように換気比率を設定して換気装置１６を制御する機能を有する。
【００３８】
空調最適化処理部２９は、換気量最適化処理部２５から禁煙用換気比率を読み込み、読み込んだ禁煙用換気比率から、空調装置１４におけるインバータモータ２４の制御周波数を算出し、算出された制御周波数に基づいてインバータモータ２４を制御する機能を有する。
【００３９】
具体的には、稼働率が低く、混雑度レベルが５０％である場合に、禁煙用換気比率を下げることができた場合（例えば、３回→１．５回）には、同じ空調設定温度（例えば、２６ ℃ ）でも、冷えた空気（または、暖まった空気）を外部に排出しないので、インバータモータ２４の制御周波数を落とすことができ（例えば、５０％の動作になるようなインバータモータ制御周波数）、これにより、節電効果を達成することができる。
【００４０】
ナイトパージ設定処理部２６は、店舗５内の温度に比べて店舗５外の気温が低くなるような夜間時間帯に店舗５外の空気を店舗５内に取り込むように禁煙用換気比率を設定する機能を有する。
【００４１】
具体的には、日中に比べて涼しい気温となる夜間時間帯に、換気量最適化処理部２５により禁煙用換気比率を高めて、涼しい外気を取り込みつつ、インバータモータ２４の制御周波数を抑制することで節電効果を実現することができる。
【００４２】
シーズン設定処理部２８は、店舗５内の温度に比べて店舗５外の気温が低くなるような季節に店舗５外の空気を店舗５内に取り込むように禁煙用換気比率を設定する機能を有する。
【００４３】
具体的には、春先の日時など店舗５内の温度に比べて店舗５外の気温が低くなるような時期に、換気量最適化処理部２５により禁煙用換気比率を高めて、涼しい外気を取り込みつつ、インバータモータ２４の制御周波数を抑制することで節電効果を実現することができる。
【００４４】
続いて、上記構成の省エネルギーシステム１０の作用について図１〜図４を用いて説明する。図４は、省エネルギーシステム１０を動作させる手順を示すフローチャートである。
【００４５】
最初に、従来の喫煙環境下において、１時間あたりで店舗５内の必要換気回数（喫煙用換気比率）が１０杯となるように設定していたものを３０％に抑制して３杯となるように、禁煙用換気比率を設定する（Ｓ２）。この工程は、換気量抑制処理部２２の機能により実行される。
【００４６】
次に、ホールコンピュータ装置１２から稼働率データを読み込む（Ｓ４）。この工程は、換気量最適化処理部２５の機能により実行される。
【００４７】
次いで、Ｓ４の工程で読み込んだ稼働率データから禁煙用換気比率を算出し、この禁煙用換気比率に基づいて換気装置１６を制御し、空調装置１４におけるインバータモータ２４の制御周波数を算出し、算出された制御周波数に基づいてインバータモータ２４を制御する（Ｓ６）。この工程は、換気量最適化処理部２５及び空調最適化処理部２９の機能により実行される。
【００４８】
Ｓ６の工程の後は、店舗５内の温度に比べて店舗５外の気温が低くなるようなナイトパージの適用時期か否かを判定する（Ｓ８）。この工程は、ナイトパージ設定処理部２６の機能により実行される。
【００４９】
Ｓ８の工程において、ナイトパージの適用時期であると判断された場合には、店舗５内の温度に比べて店舗５外の気温が低くなるような夜間時間帯に店舗５外の空気を店舗５内に取り込むように禁煙用換気比率を設定する（Ｓ１０）。この工程は、ナイトパージ設定処理部２６の機能により実行される。
【００５０】
Ｓ８の工程において、ナイトパージの適用時期でないと判断された場合には、ＥＮＤ処理へと進む。この工程は、ナイトパージ設定処理部２６の機能により実行される。
【００５１】
Ｓ１０の工程の後は、春先の日時など店舗５内の温度に比べて店舗５外の気温が低くなるようなシーズンの適用時期か否かを判定する（Ｓ１２）。この工程は、シーズン設定処理部２８の機能により実行される。
【００５２】
Ｓ１２の工程において、シーズンの適用時期であると判断された場合には、店舗５内の温度に比べて店舗５外の気温が低くなるような季節に店舗５外の空気を店舗５内に取り込むように禁煙用換気比率を設定する（Ｓ１４）。この工程は、シーズン設定処理部２８の機能により実行される。
【００５３】
Ｓ１２の工程において、シーズンの適用時期でないと判断された場合には、ＥＮＤ処理へと進む。この工程は、シーズン設定処理部２８の機能により実行される。
【００５４】
２０２０年４月から全面施行される改正健康増進法により、パチンコ店舗（店舗５）が禁煙の環境下へと変わる。そこで、省エネルギーシステム１０によれば、従来の喫煙環境下において、１時間あたりで店舗５内の必要換気回数（喫煙用換気比率）が１０杯となるように設定していたものを３０％に抑制して３杯となるように、禁煙用換気比率を設定する。これにより、換気量を禁煙環境下において最適な換気量に制御することができるため、空調装置１４で冷やした空気が無駄に店舗５外に排出することを抑制することが出来る。
【００５５】
また、省エネルギーシステム１０によれば、店舗５の稼働率データなどに基づいて混雑度に応じたインバータモータ２４の周波数を変更することができる。これにより、混雑度に応じて、換気量を抑えるとともに空調装置１４を効率良く動かすことができるため、省エネルギーに貢献することが出来る。
【００５６】
さらに、省エネルギーシステム１０によれば、店舗５内の温度に比べて店舗５外の気温が低くなるような夜間時間帯や季節に店舗５外の空気を店舗５内に取り込むことで、空調装置１４を効率良く動かすことができる。これにより、無駄なエネルギーを抑制することができるという利点がある。
【符号の説明】
【００５７】
５  店舗、１０  省エネルギーシステム、１２  ホールコンピュータ装置、１４  空調装置、１６  換気装置、１８   空調室内機、２０  制御部、２１  空調室外機、２２  換気量抑制処理部、２４  インバータモータ、２５  換気量最適化処理部、２６  ナイトパージ設定処理部、２７  ファン、２８  シーズン設定処理部、２９  空調最適化処理部、３０  ホール内ネットワーク用ルータ、３２  タッチパネル、３４  インターネット接続用ルータ、３６  通信ネットワーク、３８  管理サーバ。
【図１】
0003226812.tif 000003
【図２】
0003226812.tif 000004
【図３】
0003226812.tif 000005
【図４】
0003226812.tif 000006